(57)【要約】【課題】ネットワーク中継装置に接続された端末の局番を認識する【解決手段】局番認識装置１００は、ネットワーク中継装置２００と第２ネットワーク３００を介して通信可能に接続され、そのネットワーク中継装置２００は、端末局番が予め設定された複数の端末２１０と第１ネットワーク４００を介して通信可能に接続されており、第１ネットワーク４００で送信可能な、局番が端末局番と一致したときにその端末局番を含む応答データが返信されるコマンドデータを、最大局番までの全ての局番毎に、生成し、局番毎に生成された局番別コマンドデータそれぞれを、第２ネットワークで送信可能なデータに変換してネットワーク中継装置に送信する。【選択図】図１
2014195180.tif 000002
【特許請求の範囲】
【請求項１】
最大局番が決められた局番範囲の中からそれぞれ異なる端末局番が予め設定された複数の端末が、通信プロトコルの異なる第１ネットワークと第２ネットワークとの間でデータを中継転送するネットワーク中継装置と前記第１ネットワークを介して通信可能に接続され、前記第２ネットワークを介して前記ネットワーク中継装置と通信可能に接続される局番認識装置において、
前記第１ネットワークで送信可能な、局番が前記端末局番と一致したときにその端末局番を含む応答データが返信されるコマンドデータを、前記最大局番までの全ての局番毎に、生成し、
前記局番毎に生成された局番別コマンドデータそれぞれを、前記第２ネットワークで送信可能なデータに変換して前記ネットワーク中継装置に送信する
ことを特徴とする局番認識装置。
【請求項２】
前記応答データから抽出した局番と、当該応答データを中継転送した前記ネットワーク中継装置の識別番号とを関連付けて記憶する局番管理ファイルを備えることを特徴とする請求項１に記載された局番認識装置。
【請求項３】
局番が指定されたデータが入力された場合、その入力データの指定局番と一致する前記局番管理ファイルに記録された局番を検索し、検出された局番と関連付けられて記録された前記ネットワーク中継装置の識別番号を抽出し、前記入力データを前記第２ネットワークで送信可能なデータに変換して、当該識別番号の前記ネットワーク中継装置に送信する
ことを特徴とする請求項２に記載された局番認識装置。
【請求項４】
別の第１ネットワークと前記第２ネットワークとの間でデータを中継転送し、
前記局番が指定されたデータは、前記別の第１ネットワークから入力される
ことを特徴とする請求項３に記載された局番認識装置。
【請求項５】
前記ネットワーク中継装置が前記第２ネットワークに接続されたことを検出したときに、前記局番別コマンドデータそれぞれを前記ネットワーク中継装置に送信することを特徴とする請求項２ないし請求項４のいずれか一項に記載された局番認識装置。
【請求項６】
前記局番管理ファイルを更新する場合に、前記第２ネットワークを介して通信可能に接続される前記ネットワーク中継装置全てに対して、前記局番別コマンドデータそれぞれを送信することを特徴とする請求項２ないし請求項５のいずれか一項に記載された局番認識装置。
【請求項７】
前記第１ネットワークはシリアルケーブルであり、
前記第２ネットワークはＩＰネットワークであり、
前記ネットワーク中継装置の識別番号はＩＰアドレスであることを特徴とする請求項２ないし請求項６のいずれか一項に記載された局番認識装置。
【請求項８】
最大局番が決められた局番範囲の中からそれぞれ異なる端末局番が予め設定された複数の端末とネットワーク中継装置で中継される局番認識学習装置において、
前記ネットワーク中継装置から前記複数の端末までのシリアル伝送路で送信可能であり、局番が前記端末局番と一致したときにその端末局番を含む応答データが返信されるコマンドデータを前記最大局番までの全ての局番毎に、生成し、
前記局番毎に生成された局番別コマンドデータそれぞれを、インターネットプロトコルに変換して前記ネットワーク中継装置に送信する
ことを特徴とする局番認識学習装置。
【請求項９】
通信プロトコルの異なる第１ネットワークと第２ネットワークとの間でデータを中継転送するネットワーク中継装置と、
前記第１ネットワークを介して前記ネットワーク中継装置に通信可能に接続され、最大局番が決められた局番範囲の中からそれぞれ異なる端末局番が予め設定された複数の端末と、
前記第２ネットワークを介して前記ネットワーク中継装置に通信可能に接続される局番認識装置と
を備える局番認識システムにおいて、
前記局番認識装置は、
前記第１ネットワークで送信可能なコマンドデータを、前記最大局番までの全ての局番毎に、生成し、
前記局番毎に生成された局番別コマンドデータそれぞれを、前記第２ネットワークで送信可能なデータに変換して前記ネットワーク中継装置に送信し、
前記端末は、
受信した前記コマンドデータに含まれる局番が前記端末局番と一致したときにその端末局番を含む応答データを返信する
ことを特徴とする局番認識システム。
【発明の詳細な説明】
【技術分野】
【０００１】
本発明は、局番認識装置および局番認識システムに関し、特に、局番認識装置であるネットワーク中継装置（親）が、当該ネットワーク中継装置（親）と通信可能に接続された別のネットワーク中継装置（子）を介して、その別のネットワーク中継装置（子）とシリアル伝送路（第１ネットワーク）で接続された局番学習対象装置（測定装置や制御機器等）を識別する局番を学習する技術に関する。
【背景技術】
【０００２】
従来、端末に予め設定された局番をファイルやデータベースに登録しておくことで、その登録済み端末局番の端末に対してデータ送信を要求することができ、その端末からデータを取得するシステムがあった。
また、特許文献１には、第1制御ネットワーク２１ａが故障など生じて使用できない場合に第２制御ネットワーク２１ｂを使用するデータサーバが記載されている。ここで、第１制御ネットワーク２１ａは、イーサネット（登録商標）から構成され、第２制御ネットワーク２１ｂは、シリアルネットワークから構成されている。
【先行技術文献】
【特許文献】
【０００３】
【特許文献１】特開２００３−２７３８７５号公報（図１，段落００１９）
【発明の概要】
【発明が解決しようとする課題】
【０００４】
しかしながら、特許文献１に記載のデータサーバは、ファイルやデータベースに端末局番を事前登録する必要があった。つまり、従来のデータサーバは、端末がシリアルネットワークを介して接続されているものの、その未登録局番の端末からデータを取得したり制御したりすることができないという問題点があった。
【０００５】
本発明は、以上のような問題を解決するためになされたものであり、ネットワーク中継装置に接続された端末の局番を認識する局番認識装置および局番認識システムを提供することを課題とする。
【課題を解決するための手段】
【０００６】
前記課題を解決するために、本発明の局番認識装置は、最大局番が決められた局番範囲の中からそれぞれ異なる端末局番が予め設定された複数の端末（２１０）が、通信プロトコルの異なる第１ネットワーク（４００）と第２ネットワーク（３００）との間でデータを中継転送するネットワーク中継装置（２００）と前記第１ネットワークを介して通信可能に接続され、前記第２ネットワークを介して前記ネットワーク中継装置と通信可能に接続される局番認識装置（１００）において、前記第１ネットワークで送信可能な、局番が前記端末局番と一致したときにその端末局番を含む応答データが返信されるコマンドデータを、前記最大局番までの全ての局番毎に、生成し、前記局番毎に生成された局番別コマンドデータそれぞれを、前記第２ネットワークで送信可能なデータに変換して前記ネットワーク中継装置に送信する構成とした。なお、（  ）内の文字、記号は例示である。
【０００７】
前記課題を解決するために、本発明の局番認識システムは、通信プロトコルの異なる第１ネットワーク（シリアル伝送路４００）と第２ネットワーク（ＩＰネットワーク３００）との間でデータを中継転送するネットワーク中継装置（子ユニット２００）と、前記第１ネットワークを介して前記ネットワーク中継装置（２００）に通信可能に接続され、最大局番が決められた局番範囲の中からそれぞれ異なる端末局番が予め設定された複数の端末（２１０）と、前記第２ネットワークを介して前記ネットワーク中継装置（２００）に通信可能に接続される局番認識装置（１００）とを備える局番認識システムにおいて、前記局番認識装置は、前記第１ネットワークで送信可能なコマンドデータを、前記最大局番までの全ての局番毎に、生成し、前記局番毎に生成された局番別コマンドデータそれぞれを、前記第２ネットワークで送信可能なデータに変換して前記ネットワーク中継装置に送信し、前記端末は、受信した前記コマンドデータに含まれる局番が前記端末局番と一致したときにその端末局番を含む応答データを返信する構成とした。なお、（  ）内の文字、記号は例示である。
【０００８】
局番認識装置は、最大局番までの全ての局番毎にコマンドデータを生成し、端末に送信する。これにより、端末は、自身に設定された端末局番のコマンドデータを破棄する一方、端末は、自身に設定された端末局番のコマンドデータに応じて、応答データを返信する。つまり、局番認識装置は、ネットワーク中継装置に接続された端末の局番を認識することができる。また、コマンドデータを送信するだけで端末の端末局番を認識することができるため、ネットワークの変化に対して柔軟に対応でき、端末の管理が容易になる。特に、シリアル伝送路（第１ネットワーク）の場合、最大局番（９９）が決められているので、局番認識装置は、局番毎にコマンドを生成し、送信することが容易である。また、局番認識装置は、取得した端末局番を用いて、その端末局番が設定された端末宛のメッセージを、その端末が接続されたネットワーク中継装置に送信することで、端末からメッセージに対する応答メッセージを取得することができる。
【発明の効果】
【０００９】
本発明によれば、ネットワーク中継装置に接続された端末の局番を認識することができる。
【図面の簡単な説明】
【００１０】
【図１】本発明に係る測定データ収集システムの全体構成図である。
【図２】本発明に係るデータ収集装置、親ユニット、測定装置および子ユニットの構成を示すブロック図である。
【図３】局番学習用コマンドの一例である。
【図４】局番学習処理動作のタイムチャートである。
【図５Ａ】データ収集処理動作のタイムチャートである。
【図５Ｂ】図５Ａから続くデータ収集処理動作のタイムチャートである。
【発明を実施するための形態】
【００１１】
以下、図面を参照して、本発明の実施の形態（以下、「本実施形態」と称する）につき詳細に説明する。なお、各図は、本発明について概略的に示してあるに過ぎない。よって、本発明は、図示例のみに限定されるものではない。また、各図において、共通する構成要素や同様な構成要素については、同一の符号を付し、それらの重複する説明を省略する。
【００１２】
図１に本発明の測定データ収集システムの構成を示す。
測定データ収集システム１は、被測定物を測定する測定装置２１０（２１０ａ、２１０ｂ、・・・）と、測定データを収集するデータ収集装置１１０と、そのデータ収集装置１１０と測定装置２１０との間で行われるデータの送受信を中継する親ユニット１００と子ユニット２００（２００ａ、２００ｂ、・・・）とを備える。子ユニット２００には１以上の測定装置２１０が接続され、親ユニット１００には１以上の子ユニット２００が接続されている。
データ収集装置１１０と親ユニット１００との間は、シリアル伝送路４１０（別の第１ネットワーク）で通信可能に接続され、子ユニット２００と測定装置２１０との間は、シリアル伝送路４００（第１ネットワーク）で通信可能に接続され、親ユニット１００と子ユニット２００との間は、ＩＰネットワーク３００（第２ネットワーク）で通信可能に接続されている。
【００１３】
測定装置２１０それぞれには、予め局番が設定されており、この局番は重複しないように設定されている。図１において、子ユニット２００ａには、局番１０の測定装置２１０ａと、局番１２の測定装置２１０ｂとが接続されている。子ユニット２００ｂには、局番２１の測定装置２１０ｃと、局番３６の測定装置２１０ｄとが接続されている。子ユニット２００ｃには、局番４３の測定装置２１０ｅと、局番５７の測定装置２１０ｆと、局番８２の測定装置２１０ｇとが接続されている。
【００１４】
（ＩＰネットワーク３００）
ＩＰネットワーク３００は、親ユニット１００が自身に接続された複数の子ユニット２００を識別し、通信相手先として特定した子ユニット２００とデータの送受信が可能なネットワークである。
本実施形態において、ＩＰネットワーク３００は、ＩＰ（Internet Protocol）を用いて無線通信可能な無線ＬＡＮ（Local Area Network）を用いて説明するが、例えば、有線ＬＡＮやＷＡＮ（Wide Area Network）等の有線であってもよい。
【００１５】
また、このＩＰネットワーク３００は、ＩＰを用いることに限定されない。例えば、国際電気通信連合（International Telecommunication Union; ITU）が定めるＩＭＴ−２０００（International Mobile Telecommunication 2000）や、ＷｉＭＡＸ（登録商標）（Worldwide Interoperability for Microwave Access）等の無線通信技術の規格を用いたネットワークであってもよいし、２．４ＧＨｚ帯の電波周波数を利用するＷｉ−Ｆｉ（登録商標）（Wireless Fidelity）や、４３０ＭＨｚ帯、９２０ＭＨｚ帯の電波周波数を利用する特定小電力無線等であってもよい。
【００１６】
（シリアル伝送路４００）
シリアル伝送路４００および別のシリアル伝送路４１０は、複数接続に対応したシリアル通信方式であり、例えば、ＲＳ４２２やＲＳ４８５等のシリアル通信の規格を用いたネットワークである。
【００１７】
ここで、１つの測定データ収集システム１は、データ収集装置１１０と親ユニット１００との組を複数備えてもよいし、測定装置２１０と子ユニット２００との組を複数備えてもよい。また、測定データ収集システム１は、１つのデータ収集装置１１０が複数の測定装置２１０から収集した測定データを一元管理する構成であってもよい。このとき、データ収集装置１１０と親ユニット１００との間は、シリアル伝送路４１０で接続することなく、データ収集装置１１０のＣＰＵがバスを介して、親ユニット１００をデータカードとして直接制御することもできる。
【００１８】
また、親ユニット１００とデータ収集装置１１０とは複数個の端末・装置に分かれていても構わない。
また、子ユニット２００と測定装置２１０とは複数個の端末・装置に分かれていても構わない。また、１つのデータ収集装置１１０に対して複数の測定装置２１０が接続されても構わない。
【００１９】
≪構成の説明≫
図２に、データ収集機器としてのデータ収集装置１１０および親ユニット１００（局番認識装置）と、測定機器としての測定装置２１０および子ユニット２００との構成図である。
以下、データ収集装置１１０、親ユニット１００、測定装置２１０および子ユニット２００はそれぞれ制御部（不図示）と記憶部（不図示）とを備える。
【００２０】
制御部は、装置全体を制御する構成部であり、例えば、ＣＰＵ（Central Processing Unit）で構成され、ＣＰＵが記憶部（不図示）に格納されるプログラム（不図示）を展開し実行することによって装置の各機能が実現される。
記憶部は、データやプログラムを記憶する構成部であり、例えば、ＨＤＤ（Hard Disc Drive）、ＲＡＭ（Random Access Memory）、光ディスク等の記憶手段である。
【００２１】
［データ収集装置１１０］
データ収集装置１１０は、ネットワークを介して接続される測定装置２１０に被測定物の測定を要求し、その測定データを受信する。
このデータ収集装置１１０は、シリアル通信部１１１と、測定データ収集部１１２と、入力部１１３とを備える。ここで、シリアル通信部１１１と、測定データ収集部１１２とは、制御部である。
【００２２】
（シリアル通信部１１１）
シリアル通信部１１１（制御部）は、シリアル伝送路４１０と接続されるインターフェース（シリアルＩ／Ｆ）を制御して、データの送受信を行う。
【００２３】
（測定データ収集部１１２）
測定データ収集部１１２（制御部）は、測定装置２１０から測定データを取得するための処理を行う。測定データ収集部１１２（制御部）は、データ収集コマンドを生成する。
【００２４】
（入力部１１３）
入力部１１３は、ユーザからの要求を受け付けるユーザインタフェースであり、例えば、キーボードやマウスなどである。
【００２５】
（測定データ取得処理の一例）
このデータ収集装置１１０は、例えば、次のように動作して、測定装置２１０から測定データを取得する。
まず、ユーザから入力部１１３を介して入力された要求に応じて、不図示の表示部に、測定させたい測定装置２１０の識別情報の入力を促す画像を画面に表示させる。これにより、測定させる測定装置２１０を特定する識別情報（以下、局番と称する場合がある）が入力部１１３を介して、入力される。
測定データ収集部１１２は、入力された識別情報を含めた測定指示（データ収集コマンド）を生成し、シリアル通信部１１１は、データ収集コマンドをシリアルＩ／Ｆから親ユニット１００に出力させる。
その後、シリアル通信部１１１は、シリアルＩ／Ｆを介して、親ユニット１００から、測定装置２１０が測定した測定データを受信し、測定データ収集部１１２は、測定データを不図示の記憶部に記憶させたり、ユーザからの要求に応じて測定値を画面に表示させたりする。
【００２６】
［親ユニット１００］
親ユニット１００（局番認識装置）は、ネットワーク中継装置であり、シリアル通信部１０１と、無線通信部１０２と、局番解析部１０３と、局番学習部１０４と、局番管理ファイル１０５とを備える。シリアル通信部１０１と、無線通信部１０２と、局番解析部１０３と、局番学習部１０４とは、制御部であり、局番管理ファイル１０５は、記憶部である。
【００２７】
この親ユニット１００は、２つの異なる通信プロトコルのネットワーク間でプロトコル変換を行ってからデータを送信するプロトコル変換機能と、送信先へデータを送信するときのルートを管理するルート管理機能とを有する。
【００２８】
（プロトコル変換機能）
プロトコル変換機能を有する親ユニット１００は、データ収集装置１１０へは、シリアル通信部１０１がインターフェース（シリアルＩ／Ｆ）を制御して、シリアル伝送路４００（４１０）の通信プロトコルに準じたデータ（シリアルデータ）に変換して送信し、子ユニット２００へは、無線通信部１０２がＩＰネットワーク３００の通信プロトコルに準じたデータ（無線通信データ）に変換して送信する。
【００２９】
（ルート管理機能：局番解析処理）
ルート管理機能を有する親ユニット１００は、局番を含むシリアルデータを受信したときに、局番解析処理を実行し、局番管理ファイル１０５を参照して、その局番が設定された測定装置２１０へのデータ送信を中継する子ユニット２００のＩＰアドレスを取得し、送信先の子ユニット２００を特定する。
【００３０】
（ルート管理機能：局番学習処理）
また、ルート管理機能を有する親ユニット１００は、局番学習処理を実行し、設定されうる全ての局番毎に局番学習用コマンドを生成し、接続される全ての子ユニット２００に送信する。その後、子ユニット２００から局番学習応答データ（局番学習用コマンドの応答データ）を受信し、その局番学習応答データに含まれる局番（局番学習応答データの送信元である測定装置２１０の局番）を取得し、その局番学習応答データの送信を中継した子ユニット２００のＩＰアドレスと関連付けて、局番管理ファイル１０５に記憶させる。
この局番学習処理は、親ユニット１００がＩＰネットワーク３００に新たな子ユニット２００が接続されたことを検出した時に実行される処理である。
【００３１】
ここで、親ユニット１００が備える各構成部について説明する。
（シリアル通信部１０１）
シリアル通信部１０１（制御部）は、シリアル伝送路４１０と接続されるインターフェース（シリアルＩ／Ｆ）を制御して、データの送受信を行う。このシリアル通信部１０１は、データ収集装置１１０へはシリアル伝送路４１０の通信プロトコルに準じたデータ（シリアルデータ）に変換して送信する。この通信プロトコルは、スタートビット、次にデータビット・パリティビット・ストップビットと続く通信書式を意味する。
【００３２】
（無線通信部１０２）
無線通信部１０２（制御部）は、ＩＰネットワーク３００と接続されるインターフェース（無線通信Ｉ／Ｆ）を制御して、データの送受信を行う。この無線通信部１０２は、子ユニット２００へはＩＰネットワーク３００の通信プロトコルに準じたデータ（無線通信データ）に変換して送信する。
ここで、局番学習部１０４が生成する局番学習用コマンドは、シリアル通信のプロトコルに準ずる構造であるため、ＩＰネットワーク３００の通信プロトコルに準じたデータ（無線通信データ）に変換する必要がある。
【００３３】
（局番解析部１０３）
局番解析部１０３（制御部）は、局番解析処理を実行し、受信した測定指示（データ収集コマンド）に付与された局番に対応する送信先（子ユニット２００）のＩＰアドレスを、局番管理ファイル１０５から取得する。
【００３４】
（局番学習部１０４）
局番学習部１０４（制御部）は、局番学習処理を実行し、局番学習用コマンド（図３）を生成して送信し、その後、受信した局番学習応答データに基づき、局番管理ファイル１０５のデータを更新する。
【００３５】
（局番管理ファイル１０５）
局番管理ファイル１０５は、測定装置２１０の局番と、その測定装置２１０がシリアル伝送路４００で接続された子ユニット２００のＩＰアドレスとを関連付けて記憶する。
【００３６】
局番学習部１０４は、データ収集装置１１０から送信されるデータ収集リクエストおよび測定装置２１０からのレスポンスを解析し、宛先とする局番とＩＰアドレスとの対応付けを行う。無線通信部１０２によってＩＰ通信に変換されたパケットは、局番解析部１０３を通じて送信先となる測定装置２１０を特定し、局番学習部１０４で得たＩＰアドレスとの対応付けに従って子ユニット２００に送信される。なお、データ収集リクエストは、シリアル伝送路４１０を介することなく、データ収集装置１１０のＣＰＵがバスを介して、直接、局番学習部１０４を制御することもできる。
【００３７】
（局番学習用コマンド）
図３は、局番学習用コマンドの一例である。
この局番学習用コマンドは、一般的なシリアル通信のプロトコル（通信書式）を用いた構造を有し、例えば、ヘッダと、局番と、データ長と、データと、チェックコードと、デリミタとで構成される。
【００３８】
ヘッダには、シリアルデータの始まりを示すデータ（例えば、ＳＴＸ）が記録される。局番には、測定装置２１０の識別番号を示すデータが記録される。データ長には、コマンドの長さを指定するデータが記録される。データには、親ユニット１００に局番学習処理を実行させるコマンドデータが記録される。チェックコードには、ノイズ等によるデータ化けが発生したことをチェックするための誤り検出用データ（例えば、ＢＣＣ（Block Check Character））が記録される。デリミタには、シリアルデータの終わりを示すデータ（例えば、ＥＴＸ）が記録される。
【００３９】
（測定機器の構成）
［子ユニット２００］
子ユニット２００は、ネットワーク中継装置であり、２つの異なる通信プロトコルのネットワーク間でプロトコル変換を行ってからデータを送信するプロトコル変換機能を有する。
子ユニット２００は、ＩＰネットワーク３００を介して受信したデータを、シリアル伝送路４００を介して接続された全ての測定装置２１０に送信（転送）する。
また、シリアル伝送路４００を介して受信したデータ（局番学習応答データ）を、ＩＰネットワーク３００を介して接続された送信先（親ユニット１００）に送信（転送）する。
【００４０】
例えば、この子ユニット２００は、ＩＰネットワーク３００を介してデータを受信したときに、そのデータの送信元ＩＰアドレスをメモリなどの不図示の記憶部に記録しておき、受信データを測定装置に転送する。その後、転送先の測定装置から転送したデータに対する応答データを受信したとき、記憶部に記録した送信元ＩＰアドレスを取得して、応答データをパケット化して転送する。これにより、測定装置が測定したデータを、測定指示の発信元に返信することができる。
【００４１】
この子ユニット２００は、シリアル通信部２０１と、無線通信部２０２とを備える。
シリアル通信部２０１と、無線通信部２０２とは、制御部である。
【００４２】
（シリアル通信部２０１）
シリアル通信部２０１（制御部）は、シリアル伝送路４００と接続されるインターフェース（シリアルＩ／Ｆ）を制御して、データの送受信を行う。
【００４３】
（無線通信部２０２）
無線通信部２０２は、（制御部）は、ＩＰネットワーク３００と接続されるインターフェース（無線通信Ｉ／Ｆ）を制御して、データの送受信を行う。この無線通信部２０２は、送信元（親ユニット１００）のＩＰアドレスを一旦記憶しておき、データの返信時に用いる。
【００４４】
この子ユニット２００は、親ユニット１００から送信されたパケットデータを無線通信部２０２がシリアルデータに変換し、シリアル通信部２０１を通じて測定装置２１０に送付する。また子ユニット２００は測定装置２１０から取得した測定データを、シリアル通信部２０１を経由して取得し、無線通信部２０２が、プロトコル変換してパケット化して、インターフェース（無線通信Ｉ／Ｆ）を通じて親ユニット１００にデータの送信を行う。
【００４５】
［測定装置２１０］
測定装置２１０は、ネットワークを介して接続されるデータ収集装置１１０からの要求に応じて、被測定物からデータを測定し、その測定データを送信する。例えば、変位量測定器、電力計や、地震計、温度計、雨量計、水位計、積雪計等を備えた通信端末である。
【００４６】
この測定装置２１０は、シリアル通信部２１１と、検出部２１２と、測定制御部２１３と、局番設定部２１４と、局番判定部２１５とを備える。
シリアル通信部２１１と、測定制御部２１３と、局番判定部２１５とは、制御部である。
【００４７】
（シリアル通信部２１１）
シリアル通信部２１１（制御部）は、シリアル伝送路４００と接続されるインターフェース（シリアルＩ／Ｆ）を制御して、データの送受信を行う。
【００４８】
（検出部２１２）
検出部２１２は、被測定物に接触する等してデータを検出する。例えばプローブやセンサ等である。
【００４９】
（測定制御部２１３）
測定制御部２１３（制御部）は、測定指示（データ収集コマンド）に応じて、検出部２１２が検出した測定データを取得する。
【００５０】
（局番設定部２１４）
局番設定部２１４は、ユーザにより任意に局番が設定される構成部である。この局番設定部２１４に設定される局番は、ユーザにより、他の測定装置２１０の局番と重複しないように設定される。
【００５１】
（局番判定部２１５）
局番判定部２１５は、シリアル通信部２１１が受信したシリアルデータ（局番学習用コマンド）に含まれる局番と、局番設定部２１４に設定された局番とが一致する場合、その局番学習用コマンドに応じて、局番学習応答データを生成する。一方、一致しない場合、シリアル通信部２１１が受信したシリアルデータ（局番学習用コマンド）を削除する。
【００５２】
この測定装置２１０は、データ収集装置１１０からのデータ収集リクエストを受けて、検出部２１２を通じて使用電力等のデータを取得し、シリアル通信部２１１を通じてデータ収集装置１１０に向けてデータ送信を行う。
【００５３】
≪局番学習処理≫
図４に、局番学習処理動作のタイムチャートを示す。
（親ユニット１００の処理）
まず、親ユニット１００（局番学習部１０４）は、ネットワーク３００に新たな子ユニット２００が接続されてから、局番学習処理を実行する（局番学習処理実行開始）。このとき、新たな子ユニット２００のＩＰアドレスを取得する。
【００５４】
局番学習部１０４は、予め記憶部（不図示）に記憶された、局番学習コマンドを生成するための設定ファイルを取得し、その設定ファイルの内容（ＳＴＸ／ＥＴＸ／ＢＣＣ／局番学習コマンド）に基づき、局番学習用コマンド（図３）を生成する（ステップＳ１０１）。このとき、設定されうる局番が例えば１〜９９であれば、局番１〜９９それぞれの、つまり９９の局番学習用コマンドを生成する。
そして、局番学習部１０４は、生成した（９９全ての）局番学習用コマンドを無線通信部１０２に渡す。
【００５５】
無線通信部１０２は、まず、局番学習用コマンドがシリアル通信のプロトコルに準ずる構造であるため、局番学習用コマンドをネットワーク３００の通信プロトコルに準じたデータ（無線通信データ）に変換する（ステップＳ１０２）。
そして、無線通信部１０２は、新たな子ユニット２００のＩＰアドレスを宛先にして、無線通信データ（局番学習用コマンド）を送信する（ステップＳ１０３）。このとき、９９の局番学習コマンド全てを子ユニット２００に送信する。
【００５６】
（子ユニット２００の処理）
まず、子ユニット２００の無線通信部２０２は、親ユニット１００から無線通信データ（局番学習用コマンド）を受信し（ステップＳ１０４）、次に、シリアル通信部２０１は、その受信した無線通信データ（局番学習用コマンド）をプロトコル変換する（ステップＳ１０５）。これにより、ネットワーク３００の通信プロトコルに準じたデータ（無線通信データ）からシリアル通信のプロトコルに準じたデータ（シリアルデータ）に変換される。
そして、シリアル通信部２０１は、プロトコル変換した全てのシリアルデータ（局番学習用コマンド）を接続された全ての測定装置２１０に送信（転送）する（ステップＳ１０６）。
【００５７】
すなわち、子ユニット２００は、親ユニット１００から受信した９９の無線通信データ（局番学習用コマンド）全てをプロトコル変換して、９９のシリアルデータ（局番学習用コマンド）全てを測定装置２１０に送信（転送）する。
【００５８】
（測定装置２１０の処理）
まず、測定装置２１０のシリアル通信部２１１は、子ユニット２００からシリアルデータ（局番学習用コマンド）を受信する（ステップＳ１０７）。これにより、測定装置２１０は局番学習用コマンドを取得する（ステップＳ１０８）。そして、局番判定部２１５は、取得した局番学習用コマンドに含まれた局番と、局番設定部２１４に設定された局番とが一致するか否かの局番判定をする（ステップＳ１０９）。
局番が一致しない場合（ステップＳ１０９，Ｎｏ）、局番判定部２１５がシリアル通信部２１１に受信したシリアルデータ（局番学習用コマンド）を破棄させる。
【００５９】
一方、局番が一致する場合（ステップＳ１０９，Ｙｅｓ）、局番判定部２１５は、局番学習用コマンドに応じて、局番学習応答データを生成する（ステップＳ１１０）。
そして、局番判定部２１５は、生成した局番学習応答データをシリアル通信部２１１に渡す。
シリアル通信部２１１は、シリアルデータ（局番学習応答データ）を子ユニット２００に送信する（ステップＳ１１１）。
【００６０】
（子ユニット２００の処理）
まず、子ユニット２００のシリアル通信部２０１は、測定装置２１０からシリアルデータ（局番学習応答データ）を受信し（ステップＳ１１２）、次に、無線通信部２０２は、その受信したシリアルデータ（局番学習応答データ）をパケットにプロトコル変換する（ステップＳ１１３）。これにより、シリアル通信のプロトコルに準じたデータ（シリアルデータ）からネットワーク３００の通信プロトコルに準じたデータ（無線通信データ）に変換される。
そして、無線通信部２０２は、無線通信データ（局番学習応答データ）を親ユニット１００に送信（転送）する（ステップＳ１１４）。
【００６１】
（親ユニット１００の処理）
そして、親ユニット１００の無線通信部１０２は、子ユニット２００から無線通信データ（局番学習応答データ）を受信し（ステップＳ１１５）、次に、無線通信部１０２は、その受信した無線通信データ（局番学習応答データ）をプロトコル変換する（ステップＳ１１６）。これにより、ネットワーク３００の通信プロトコルに準じたデータ（無線通信データ）からシリアル通信のプロトコルに準じたデータ（シリアルデータ）に変換される。
【００６２】
局番学習部１０４は、プロトコル変換後の局番学習応答データを取得する（ステップＳ１１７）。そして、局番学習部１０４は、その局番学習応答データに含まれる局番（局番学習応答データの送信元である測定装置２１０の局番）を取得し、その局番学習応答データの送信を中継した子ユニット２００のＩＰアドレスと関連付けて、局番管理ファイル１０５に記憶させる。これにより、局番管理ファイル１０５が更新される（ステップＳ１１８）。
以上で、局番学習処理を終了する。
【００６３】
≪データ収集処理≫
図５（図５Ａ，図５Ｂ）に、データ収集処理動作のタイムチャートを示す。
このデータ収集処理動作は、図４に示す局番学習処理動作を実行した後に、親ユニット１００および子ユニット２００を経由して、データ収集装置１１０が測定装置２１０から測定データを取得するシーケンスである。
【００６４】
（データ収集装置１１０の処理）
データ収集装置１１０の入力部１１３に局番が入力され（図５Ａ，ステップＳ２０１）、測定データ収集部１１２は、入力された局番を含めた測定指示（データ収集コマンド）を生成する（ステップＳ２０２）。そして、測定データ収集部１１２は、データ収集コマンドをシリアル通信部１１１に渡す。
シリアル通信部１１１は、データ収集コマンドを、シリアル通信のプロトコルに準じたデータ（シリアルデータ）に変換して、シリアル通信部１１１は、シリアルデータ（データ収集コマンド）を親ユニット１００に送信する（ステップＳ２０３）。
【００６５】
（親ユニット１００の処理）
まず、親ユニット１００のシリアル通信部１０１は、データ収集装置１１０からシリアルデータ（データ収集コマンド）を受信し（ステップＳ２０４）、次に、シリアル通信部１０１は、その受信したシリアルデータ（データ収集コマンド）を局番解析部１０３に渡す。
【００６６】
局番解析部１０３は、データ収集コマンドを取得する（ステップＳ２０５）。
そして、局番解析部１０３は、局番解析処理を実行し、データ収集コマンドを解析して局番を抽出する（ステップＳ２０６）。そして、局番解析部１０３は、局番管理ファイル１０５を検索して（ステップＳ２０７）、抽出した局番と関連して記録されたＩＰアドレス、すなわち、抽出した局番の測定装置２１０が接続された子ユニット２００のＩＰアドレスを取得する（ステップＳ２０８）。そして、局番解析部１０３は、ＩＰアドレスを渡し、無線通信部１０２にシリアルデータ（データ収集コマンド）を送信させる処理を行わせる。
【００６７】
無線通信部１０２は、シリアルデータ（データ収集コマンド）をネットワーク３００の通信プロトコルに準じたデータ（無線通信データ）に変換する（ステップＳ２０９）。
そして、無線通信部１０２は、子ユニット２００のＩＰアドレスを宛先にして、無線通信データ（データ収集コマンド）を送信する（ステップＳ２１０）。
【００６８】
（子ユニット２００の処理）
まず、子ユニット２００の無線通信部２０２は、親ユニット１００から無線通信データ（データ収集コマンド）を受信し（ステップＳ２１１）、次に、シリアル通信部２０１は、その受信した無線通信データ（データ収集コマンド）をプロトコル変換する（ステップＳ２１２）。これにより、ネットワーク３００の通信プロトコルに準じたデータ（無線通信データ）からシリアル通信のプロトコルに準じたデータ（シリアルデータ）に変換される。
そして、シリアル通信部２０１は、シリアルデータ（データ収集コマンド）をその局番の測定装置２１０に送信（転送）する（図５Ｂ，ステップＳ２１３）。
【００６９】
（測定装置２１０の処理）
まず、測定装置２１０のシリアル通信部２１１は、子ユニット２００からシリアルデータ（データ収集コマンド）を受信する（ステップＳ２１４）。
測定装置２１０はデータ収集コマンドを取得する（ステップＳ２１５）。
そして、測定制御部２１３は、データ収集コマンドに応じて、測定処理を実行する。これにより、測定制御部２１３は、検出部２１２に測定を開始させる（ステップＳ２１６）。次に、測定制御部２１３は、検出部２１２が検出したデータ（測定データ）を取得する（ステップＳ２１７）。そして、測定制御部２１３は、測定データをシリアル通信部２１１に渡す。
【００７０】
シリアル通信部２１１は、測定データを、シリアル通信のプロトコルに準じたデータ（シリアルデータ）に変換して、シリアルデータ（測定データ）を子ユニット２００に送信する（ステップＳ２１８）。
【００７１】
（子ユニット２００の処理）
まず、子ユニット２００のシリアル通信部２０１は、測定装置２１０からシリアルデータ（測定データ）を受信し（ステップＳ２１９）、次に、無線通信部２０２は、その受信したシリアルデータ（測定データ）をプロトコル変換する（ステップＳ２２０）。これにより、シリアル通信のプロトコルに準じたデータ（シリアルデータ）からネットワーク３００の通信プロトコルに準じたデータ（無線通信データ）に変換される。
そして、無線通信部２０２は、無線通信データ（測定データ）を親ユニット１００に送信（転送）する（ステップＳ２２１）。
【００７２】
（親ユニット１００の処理）
そして、親ユニット１００の無線通信部１０２は、子ユニット２００から無線通信データ（測定データ）を受信し（ステップＳ２２２）、次に、無線通信部１０２は、その受信した無線通信データ（測定データ）をプロトコル変換する（ステップＳ２２３）。これにより、ネットワーク３００の通信プロトコルに準じたデータ（無線通信データ）からシリアル通信のプロトコルに準じたデータ（シリアルデータ）に変換される。
そして、無線通信部１０２は、シリアルデータ（測定データ）をデータ収集装置１１０に送信（転送）する（ステップＳ２２４）。
【００７３】
（データ収集装置１１０の処理）
データ収集装置１１０のシリアル通信部１１１は、親ユニット１００からシリアルデータ（測定データ）を受信する（ステップＳ２２５）。そして、シリアル通信部１１１は、測定データを測定データ収集部１１２に渡す。
測定データ収集部１１２は、測定データを取得する（ステップＳ２２６）。
以上で、データ収集処理を終了する。
【００７４】
本実施形態によれば、データ収集装置１１０は、測定させたい測定装置２１０がどの子ユニット２００に接続されているのか分からずとも、親ユニット１００が局番学習処理を行うため、測定させたい測定装置２１０の局番を指定して測定指示（データ収集コマンド）を親ユニット１００に送信するだけで、測定装置２１０に測定させることができ、その測定データを親ユニット１００の中継により取得することができる。
【００７５】
本発明は、前記した実施形態に限定されることなく、本発明の要旨を逸脱しない範囲で種々の変更や変形を行うことができる。
例えば、ガスメータ、電気メータ等に測定装置２１０を備えることで、測定データ収集システムは、インフラシステムとして機能してもよい。
【符号の説明】
【００７６】
１      測定データ収集システム
１００  親ユニット（局番認識装置）
１０１  シリアル通信部
１０２  無線通信部
１０３  局番解析部
１０４  局番学習部
１０５  局番管理ファイル
１１０  データ収集装置
１１１  シリアル通信部
１１２  測定データ収集部
１１３  入力部
２００  子ユニット（ネットワーク中継装置）
２０１  シリアル通信部
２０２  無線通信部
２１０  測定装置（端末）
２１１  シリアル通信部
２１２  検出部
２１３  測定制御部
２１４  局番設定部
２１５  局番判定部
３００  ＩＰネットワーク（第２ネットワーク）
４００  シリアル伝送路（第１ネットワーク）
【図１】
2014195180.tif 000003
【図２】
2014195180.tif 000004
【図３】
2014195180.tif 000005
【図４】
2014195180.tif 000006
【図５Ａ】
2014195180.tif 000007
【図５Ｂ】
2014195180.tif 000008